(57)【要約】【課題】コネクタの接続方向にかかわらず通信を可能とする。【解決手段】検査装置４０が接続されたコネクタ４４を情報装置本体１０が接続されたコネクタ１９に接続し、検査装置４０と情報装置本体１０との間で通信するためのコネクタの通信制御方法であって、コネクタ４４がコネクタ１９に対して正規の接続方向またはこの接続方向とは１８０度位相がずれた反対の接続方向のいずれの方向で接続されたのかを認識し、認識された接続方向に応じてコネクタ４４の各ピンと当該各ピンに接続される検査装置４０の入出力端子との対応関係を切り替える。【選択図】　　　　　　図２
2004088603.tif 000002
【特許請求の範囲】
【請求項１】
検査装置が接続された第１コネクタを被検査装置が接続された第２コネクタに接続し、前記検査装置と前記被検査装置との間で通信するためのコネクタの通信制御方法であって、
前記第１コネクタが前記第２コネクタに対して正規の接続方向またはこの接続方向とは１８０度位相がずれた反対の接続方向のいずれの方向で接続されたのかを認識し、
認識された接続方向に応じて前記第１コネクタの各ピンと当該各ピンに接続される前記被検査装置の入出力端子との対応関係を切り替えることを特徴とするコネクタの通信制御方法。
【請求項２】
前記第１コネクタが前記第２コネクタに対していずれの方向で接続されたかの認識は、前記第１コネクタと前記第２コネクタとが接続されたときに、前記第１コネクタの特定のピンからの信号に基づいて行うことを特徴とする請求項１に記載のコネクタの通信制御方法。
【請求項３】
被検査装置が接続された第２コネクタに対して正規の接続方向またはこの接続方向とは１８０度位相がずれた反対の接続方向との２方向に接続可能な第１コネクタと、
前記第１コネクタの接続方向が前記正規の接続方向であるか前記反対の接続方向であるかを認識する接続方向認識手段と、
前記正規の接続方向と前記反対の接続方向とで前記第１コネクタの各ピンと当該各ピンに接続される被検査装置の入出力端子との対応関係を切り替える切替手段と、
を有することを特徴とするコネクタの通信制御装置。
【請求項４】
前記第１コネクタおよび前記第２コネクタのピンは、
前記第１コネクタが前記第２コネクタに対して反対の接続方向で接続されたときには、前記第１コネクタの特定のピンに前記第２コネクタの接地ピンが接続されるように、および、前記第１コネクタが前記第２コネクタに対して正規の接続方向で接続されたときには、前記第１コネクタの特定のピンには前記第２コネクタの接地ピンが接続されないように配列されていることを特徴とする請求項３に記載のコネクタの通信制御装置。
【請求項５】
前記接続方向認識手段は、
前記第１コネクタの接続方向が前記正規の接続方向であるか前記反対の接続方向であるかの認識を、前記第１コネクタと前記第２コネクタとが接続されたときに、前記第１コネクタの特定のピンからの信号に基づいて行うことを特徴とする請求項３に記載のコネクタの通信制御装置。
【請求項６】
前記第１コネクタの特定のピンは、前記第２コネクタの未使用のピンに対応するピンであり、前記特定のピンにはプルアップ抵抗器を介して接続方向を認識するための認識用電圧が印加されていることを特徴とする請求項５に記載のコネクタの通信制御装置。
【請求項７】
被検査装置が接続された第２コネクタに対して正規の接続方向またはこの接続方向とは１８０度位相がずれた反対の接続方向との２方向に接続可能な第１コネクタを有し、
前記第１コネクタおよび前記第２コネクタのピンは、前記第１コネクタが前記第２コネクタに対して反対の接続方向で接続されたときには、前記第１コネクタの特定のピンに前記第２コネクタの接地ピンが接続されるように、および、前記第１コネクタが前記第２コネクタに対して正規の接続方向で接続されたときには、前記第１コネクタの特定のピンには前記第２コネクタの接地ピンが接続されないように配列され、
前記第１コネクタの特定のピンは、前記第２コネクタの未使用のピンに対応するピンであり、前記特定のピンにはプルアップ抵抗器を介して接続方向を認識するための認識用電圧が印加され、
前記第１コネクタを前記第２コネクタに接続したときに、前記第１コネクタの特定のピンから認識用電圧が検出されたときには前記第１コネクタの接続方向が前記正規の接続方向であると認識し、一方、前記第１コネクタの特定のピンから認識用電圧が検出されなかったときには、前記第１コネクタの接続方向が前記反対の接続方向であると認識する接続方向認識手段を有し、
前記反対の接続方向であると認識されたときには、前記第２コネクタの各ピンと当該各ピンに接続される被検査装置の入出力端子との対応関係を、前記正規の接続方向であると認識されたときのこれらの対応関係と同一になるように切り替える切替手段を有することを特徴とするコネクタの通信制御装置。
【発明の詳細な説明】
【０００１】
【発明の属する技術分野】
本発明は、コネクタの接続方向にかかわらず通信を可能とするコネクタの通信制御方法およびコネクタの通信制御装置に関する。
【０００２】
【従来の技術】
近年の車両には、非常に高度な情報機器が搭載され、その情報機器によって位置情報や道路情報の取得、電子メールの送受信、ハンズフリー電話による会話、各種コンテンツの閲覧、通信ナビゲーションといった情報の送受信ができるようになっている。この情報の送受信を行うには、電話会社やプロバイダーにアクセスする必要があるが、そのアクセスには携帯電話が用いられる。車内でその情報の送受信を行うには、その情報機器のコネクタに携帯電話を接続し、その携帯電話を介して情報の送受信を行う。
【０００３】
したがって、製造工程の完成検査では、搭載されている情報機器の動作を確認するために、携帯電話と同様の機能を果たす検査装置を、コネクタを介して情報機器に接続する。
【０００４】
【発明が解決しようとする課題】
しかしながら、情報機器の電話ハーネスに接続されているコネクタは、運転手が運転中に携帯電話を接続できないように、安全を考慮して故意に接続し難い場所に設置している。加えて、雄コネクタと雌コネクタとはその接続の方向性が一致しないと接続できないようになっている。したがって、完成検査を行うとき、情報機器への検査装置の取り付けに時間がかかるという問題がある。
【０００５】
完成検査時、作業者は軍手などの保護具を装着しており、また限られた時間での検査を余儀なくされることから、コネクタの差し込みの方向性が決まっていると作業性が著しく悪くなる。また、無理に挿入しようとした場合、コネクタ破損の恐れもある。
【０００６】
本発明は、このような従来の不具合を解消するためになされたものであり、コネクタの接続方向にかかわらず通信を可能とするコネクタの通信制御方法およびコネクタの通信制御装置の提供を目的とする。
【０００７】
【課題を解決するための手段】
上記した課題を解決し、目的を達成するため、本発明に係るコネクタの通信制御方法は、検査装置が接続された第１コネクタを被検査装置が接続された第２コネクタに接続し、前記検査装置と前記被検査装置との間で通信するためのコネクタの通信制御方法であって、前記第１コネクタが前記第２コネクタに対して正規の接続方向またはこの接続方向とは１８０度位相がずれた反対の接続方向のいずれの方向で接続されたのかを認識し、認識された接続方向に応じて前記第２コネクタの各ピンと当該各ピンに接続される前記被検査装置の入出力端子との対応関係を切り替えることを特徴とするものである。
【０００８】
また、本発明に係るコネクタの通信制御装置は、被検査装置が接続された第２コネクタに対して正規の接続方向またはこの接続方向とは１８０度位相がずれた反対の接続方向との２方向に接続可能な第１コネクタと、前記第１コネクタの接続方向が前記正規の接続方向であるか前記反対の接続方向であるかを認識する接続方向認識手段と、前記正規の接続方向と前記反対の接続方向とで前記第２コネクタの各ピンと当該各ピンに接続される被検査装置の入出力端子との対応関係を切り替える切替手段と、を有することを特徴とするものである。
【０００９】
本発明では、第１コネクタの接続方向が正規の接続方向であるか反対の接続方向であるかを認識することによって、第２コネクタの各ピンと当該各ピンに接続される被検査装置の入出力端子との対応関係を切り替えている。このため、第１コネクタの第２コネクタに対する接続方向が、正規の接続方向または反対の接続方向のいずれの接続方向であっても、検査装置と被検査装置との間で通信することができる。
【００１０】
【発明の効果】
本発明によれば、第１コネクタの第２コネクタに対する差し込み方向を認識し、第２コネクタの各ピンと当該各ピンに接続される被検査装置の入出力端子との対応関係を切り替えるようにしたので、被検査装置の完成検査を行うとき、作業者が差し込み方向を意識しなくとも良く、検査装置が接続された第１コネクタを被検査装置が接続された第２コネクタに迅速に接続することができる。したがって、差し込みの作業性が向上し、差し込み時にコネクタを破損する恐れも少なくなる。
【００１１】
【発明の実施の形態】
以下に添付図面を参照して、本発明にかかるコネクタの通信制御方法およびコネクタの通信制御装置の好適な実施の形態を詳細に説明する。図１は、本発明の被検査装置となる情報装置本体の機能説明に供する図である。
【００１２】
車両に搭載される情報装置本体１０には、ハンズフリー電話による会話をするためのマイク１２およびスピーカー１４と、位置情報や道路情報の取得および電子メールの送受信を行うための端末装置１６が接続されている。
【００１３】
また、情報装置本体１０には携帯電話２０を接続するための車両電話用ハーネス１８が接続され、車両電話用ハーネス１８の先端には携帯電話を接続するための携帯電話接続用コネクタ１９が取り付けられる。情報装置本体１０が外部との間で情報の送受信を行う場合、携帯電話接続用コネクタ１９に携帯電話２０を取り付ける。この携帯電話２０が情報の送受信の仲介役として働き、基地局２５を介して通信相手先３０の電話機３２、３３との間で会話をしたり、ウェブサーバー３５に接続して各種のコンテンツを閲覧したりできる。車両の完成検査工程においては、情報装置本体１０が正常に機能するか否かを検査装置４０によって検査する。
【００１４】
図２は、情報装置本体１０を検査装置４０で検査する場合の接続状態を示す図である。車両の完成検査工程で情報装置本体１０の検査をする場合、検査装置４０を専用の検査用ハーネス４２および車両電話用ハーネス１８を使用して被検査装置となる情報装置本体１０に接続する。検査用ハーネス４２の両端には、検査装置接続用コネクタ４３と情報装置接続用コネクタ４４とが取り付けられ、完成検査工程では、第１コネクタとしての情報装置接続用コネクタ４４と第２コネクタとしての携帯電話接続用コネクタ１９とが接続される。情報機器接続用コネクタ４４と携帯電話接続用コネクタ１９との接続方向としては２方向考えられるが、検査装置４０には本発明にかかるコネクタの通信制御装置が内蔵されているので、その２方向のいずれの方向にも接続することができる。つまり作業者は接続方向を気にせずに接続できる。
【００１５】
図３は、情報装置接続用コネクタ４４と携帯電話接続用コネクタ１９との接続状態を示す図である。情報装置接続用コネクタ４４は、携帯電話接続用コネクタ１９に対して、正規の接続方向またはこの接続方向とは１８０度位相がずれた反対の接続方向のいずれの方向にも接続できるように構成してある。したがって、情報装置接続用コネクタ４４と携帯電話接続用コネクタ１９のいずれにも、逆接続防止用の突起などの機構は設けていない。図３は、情報装置接続用コネクタ４４を正規の接続方向で携帯電話接続用コネクタ１９に接続している状態を示している。
【００１６】
図４は、情報装置接続用コネクタ４４と携帯電話接続用コネクタ１９が備えるそれぞれのピンと信号の種類との対応関係を示した図である。図４に示したピン番号は図３に示した情報装置接続用コネクタ４４のピン配列に対応している。たとえば、図３のピン４４Ａは１番ピンに、ピン４４Ｂは９番ピンに、ピン４４Ｃは８番ピンに、ピン４４Ｄは１６番ピンにそれぞれ対応している。
【００１７】
情報装置接続用コネクタ４４と携帯電話接続用コネクタ１９とが図５のように正規の接続方向で接続されたときには、情報装置接続用コネクタ４４の１番ピンから１６番ピンが携帯電話接続用コネクタ１９の１番ピンから１６番ピンにそれぞれ対応して接続される。たとえば、コネクタの接続方向を認識するためのコネクタ向き判別回路５０は情報装置接続用コネクタ４４の８番ピン、１１番ピン、１６番ピンに接続されているが、これらのピンは携帯電話接続用コネクタ１９の空きの８番ピン、１１番ピン、１６番ピンと接続される。
【００１８】
したがって、情報装置接続用コネクタ４４と携帯電話接続用コネクタ１９とが正規の接続方向で接続されたときには、同一ピン番号のピン同士が接続され、接続されたピンを伝送する信号の種類はそのピン番号にあらかじめ設定されている信号（図４参照）となる。
【００１９】
一方、情報装置接続用コネクタ４４と携帯電話接続用コネクタ１９とが正規の接続方向とは１８０度位相がずれた反対の接続方向で接続されたときには、図６のように情報装置接続用コネクタ４４の１番ピンから８番ピンが携帯電話接続用コネクタ１９の８番ピンから１番ピンに、情報装置接続用コネクタ４４の９番ピンから１６番ピンが携帯電話接続用コネクタ１９の１６番ピンから９番ピンにそれぞれ対応して接続される。たとえば、情報装置接続用コネクタ４４の８番ピン、１６番ピンは携帯電話接続用コネクタ１９の接地されているシリアルＧＮＤ１番ピン、９番ピンに接続される。情報装置接続用コネクタ４４の８番ピン、１１番ピン、１６番ピンは第１コネクタの特定のピンを構成し、携帯電話接続用コネクタ１９のＧＮＤ１番ピン、９番ピンは第２コネクタの接地ピンを構成する。
【００２０】
したがって、情報装置接続用コネクタ４４と携帯電話接続用コネクタ１９が反対の接続方向で接続されたときには、全く異なるピン番号のピン同士が接続されることになるため、接続されたピンを伝送する信号の種類はそのピン番号にあらかじめ設定されている信号とは異なる信号となる。
【００２１】
情報装置接続用コネクタ４４と携帯電話接続用コネクタ１９のピンには、コネクタの接続方向が認識できるように信号の種類が割り当ててある。すなわち、情報装置接続用コネクタ４４と携帯電話接続用コネクタ１９が図６に示すように反対の接続方向で接続されたときには、第１コネクタの特定のピンである情報装置接続用コネクタ４４の８番ピン、１６番ピンに携帯電話接続用コネクタ１９の接地されているシリアルＧＮＤ１番ピン、９番ピンが接続されるようにしている。また、それらが図５に示すように正規の接続方向で接続されたときには、情報装置接続用コネクタ４４の８番ピン、１１番ピン、１６番ピンには第２コネクタの未使用のピンである携帯電話接続用コネクタ１９の８番ピン、１１番ピン、１６番ピンが接続されるようにしている。
【００２２】
本発明に係る装置では、コネクタ向き判別回路５０によって情報装置接続用コネクタ４４と携帯電話接続用コネクタ１９が反対の接続方向で接続されたことを検出し、正規の接続方向で接続されたときと同一の信号が情報装置本体１０の入出力端子に伝達されるように信号の配列を切り替えている。
【００２３】
図７は、本発明にかかるコネクタの通信制御装置の制御系の概略ブロック図である。この制御系内には、接続方向認識手段としてのコネクタ向き判別回路５０と、切替手段として機能する切替回路６０、切替回路７０とを設けてある。
【００２４】
コネクタ向き判別回路５０には、信号線５１、５２、５３によって、情報装置接続用コネクタ４４の８番ピン、１１番ピン、１６番ピンが接続される。信号線５１、５２、５３には、プルアップ抵抗器５４、５５、５６が接続される。プルアップ抵抗器５４、５５、５６には、情報装置接続用コネクタ４４の携帯電話接続用コネクタ１９に対する接続方向を認識するための認識用電圧が印加されている。したがって、第１コネクタの特定のピンとなる情報装置接続用コネクタ４４の８番ピン、１１番ピン、１６番ピンには、認識用電圧が印加される。
【００２５】
コネクタ向き判別回路５０は、情報装置接続用コネクタ４４が携帯電話接続用コネクタ１９に接続されたときに、情報装置接続用コネクタ４４の８番ピン、１１番ピン、１６番ピンに認識用電圧が印加されているか否かを検出することによって、情報装置接続用コネクタ４４が携帯電話接続用コネクタ１９に対して正規の接続方向またはこの接続方向とは１８０度位相がずれた反対の接続方向のいずれの方向で接続されたかを認識する。
【００２６】
たとえば、図５に示すように、情報装置接続用コネクタ４４と携帯電話接続用コネクタ１９が正規の接続方向で接続されたときには、情報装置接続用コネクタ４４の８番ピン、１１番ピン、１６番ピンには携帯電話接続用コネクタ１９の８番ピン、１１番ピン、１６番ピン（未使用のピン）が接続される。このため、コネクタ向き判別回路５０のすべての信号線５１、５２、５３に認識用電圧が印加される。
【００２７】
一方、図６に示すように、情報装置接続用コネクタ４４と携帯電話接続用コネクタ１９が反対の接続方向で接続されたときには、情報装置接続用コネクタ４４の８番ピン、１６番ピンに携帯電話接続用コネクタ１９の１番ピン、９番ピン（接地されているピン）が接続される。このため、コネクタ向き判別回路５０の信号線５２だけに認識用電圧が印加される。
【００２８】
コネクタ向き判別回路５０は、すべての信号線５１、５２、５３から認識用電圧が検出されたときにはコネクタの接続方向は正規の接続方向であると判断し、切替信号は出力しない。一方、信号線５１、５３からは認識用電圧が検出されず、信号線５２だけから認識用電圧が検出されたときにはコネクタの接続方向は反対の接続方向であると判断し、切替信号を出力する。
【００２９】
切替回路６０は、コネクタ向き判別回路５０からの切替信号に基づいて、情報装置接続用コネクタ４４の１番ピン、６番ピン、９番ピンとこれらのピンに接続される情報装置本体１０の入出力端子との対応関係を切り替える。同じく、切替回路７０もコネクタ向き判別回路５０からの切替信号に基づいて、情報装置接続用コネクタ４４の２番ピンから５番ピン、７番ピン、１０番ピン、１２番ピンから１５番ピンとこれらのピンに接続される情報装置本体１０の入出力端子との対応関係を切り替える。
【００３０】
切替回路６０、７０は、コネクタの接続方向が反対の接続方向であると認識されたときには、情報装置接続用コネクタ４４の各ピンとこれらのピンに接続される情報装置本体１０の入出力端子との対応関係を、コネクタの接続方向が正規の接続方向であると認識されたときのこれらの対応関係と同一になるように切り替える。したがって、切替回路６０、７０は切替手段として機能する。
【００３１】
切替回路７０には、音声／ＴＣＨ送受信回路７１、ＴＣＨフレーム／クロック送信回路７２、シリアル送受信回路７３、ユニット電源制御回路７４、その他制御回路７５が接続されている。これらの回路に接続されている信号線は情報装置本体１０の入出力端子を構成する。これらの回路の機能は本発明には無関係であるので、その機能の説明は省略する。
【００３２】
図８は、本発明にかかるコネクタの通信制御装置の動作を示すフローチャートである。このフローチャートを図５〜図７、図９、図１０を参照しながら説明する。
【００３３】
車両の完成検査工程で情報装置本体１０の検査をする場合、作業者は、検査装置４０の情報装置接続用コネクタ４４を情報装置本体１０の携帯電話接続用コネクタ１９に接続する。コネクタが接続されると、コネクタ向き判別回路５０は、情報装置接続用コネクタ４４の８番ピン、１１番ピン、１６番ピンの信号を信号線５１、５２、５３から入力する（Ｓ１）。コネクタ向き判別回路５０は、８番ピン、１１番ピン、１６番ピンに認識用電圧が印加されているか否かを検出する。つまりすべてのピンが「Ｈｉ」に成っているか否かを判断する（Ｓ２）。
【００３４】
すべてのピンが「Ｈｉ」であれば（Ｓ２：ＹＥＳ）、コネクタ向き判別回路５０はコネクタの接続方向は正規の接続方向であると判断する。この場合、コネクタ向き判別回路５０は切替信号を出力しない。すべてのピンが「Ｈｉ」のとき、図５に示すように、情報装置接続用コネクタ４４の８番ピン、１１番ピン、１６番ピンには携帯電話接続用コネクタ１９の８番ピン、１１番ピン、１６番ピン（未使用のピン）が接続されている。したがって、情報装置接続用コネクタ４４の８番ピン、１１番ピン、１６番ピンには認識用電圧が印加されることになる。
【００３５】
この場合、切替回路６０、７０には切替信号が入力されないので、情報装置接続用コネクタ４４の各ピンとこれらのピンに接続される情報装置本体１０の入出力端子との対応関係は切り替えない。すなわち、図５に示すように、情報装置接続用コネクタ４４の１番ピンから１６番ピンが携帯電話接続用コネクタ１９の１番ピンから１６番ピンにそれぞれ対応して接続される。
【００３６】
さらに具体的には、図９において、リレーコイル５７は動作せず、接点６５Ａ〜６５Ｃが開いたままで、接点６６Ａ〜６６Ｃが閉じたままとなる。したがって、１４番ピンがシリアル送受信回路７３の入出力端子８０に、１番ピンおよび９番ピンがアースに接続される。また、図１０において、接点６７と６８Ｂは図示の位置のままであり、２番ピンが音声／ＴＣＨ送受信回路７１に、７番ピンがユニット電源制御回路７４にそれぞれ接続される（Ｓ３）。
【００３７】
一方、Ｓ２のステップにおいて、すべてのピンが「Ｈｉ」でないと判断されると（Ｓ２：ＮＯ）、コネクタ向き判別回路５０は、さらに情報装置接続用コネクタ４４の８番ピン、１６番ピンに認識用電圧が印加されていないか否かを検出する。
つまり８番ピン、１６番ピンが「Ｌｏ」になっているか否かを判断する（Ｓ４）。
【００３８】
８番ピン、１６番ピンが「Ｌｏ」でなければ（Ｓ４：ＮＯ）、コネクタ向き判別回路５０は異常処理を実行する。８番ピン、１１番ピン、１６番ピンのすべてが「Ｈｉ」でもなく、８番ピン、１６番ピンが「Ｌｏ」でもない状態はコネクタの勘合不良などの異常が発生している以外は考えられないからである。この異常処理は、たとえば検査装置４０の異常発生ランプを点灯させるなどの処理である（Ｓ５）。
【００３９】
８番ピン、１６番ピンが「Ｌｏ」であれば（Ｓ４：ＹＥＳ）、コネクタ向き判別回路５０はコネクタの接続方向は反対の接続方向であると判断する。この場合、コネクタ向き判別回路５０は切替信号を出力する。８番ピン、１６番ピンが「Ｌｏ」のとき、図６に示すように、情報装置接続用コネクタ４４の８番ピン、１６番ピンには携帯電話接続用コネクタ１９の１番ピン、９番ピン（接地されているピン）が接続される。このため、コネクタ向き判別回路５０の信号線５２だけに認識用電圧が印加される。したがって、情報装置接続用コネクタ４４の１１番ピンにだけ認識用電圧が印加され、８番ピン、１６番ピンには認識用電圧が検出されなくなる。
【００４０】
この場合、切替回路６０、７０には切替信号が入力され、情報装置接続用コネクタ４４の各ピンとこれらのピンに接続される情報装置本体１０の入出力端子との対応関係を切り替える。すなわち、図６に示すようなピン同士の対応関係を図５に示すようなピン同士の対応関係になるように、情報装置接続用コネクタ４４の各ピンに対する音声／ＴＣＨ送受信回路７１、ＴＣＨフレーム／クロック送信回路７２、シリアル送受信回路７３、ユニット電源制御回路７４、その他制御回路７５の入出力端子との対応関係を切り替える。
【００４１】
さらに具体的には、図９において、リレーコイル５７が動作して、接点６５Ａ〜６５Ｃが閉じ、接点６６Ａ〜６６Ｃが開く。したがって、１１番ピンがシリアル送受信回路７３の入出力端子８０に、８番ピンおよび１６番ピンがアースに接続される。また、図１０において、接点６７と６８Ｂは図示の位置とは異なる位置に動き、、７番ピンが音声／ＴＣＨ送受信回路７１に、２番ピンがユニット電源制御回路７４にそれぞれ接続される（Ｓ６）。
【００４２】
以上の処理が終了すると、情報装置接続用コネクタ４４の各ピンとこれらのピンに接続される情報装置本体１０の入出力端子との対応関係が整うので、情報装置本体１０の検査をするための接続初期化処理が行われ（Ｓ７）、検査装置４０による情報装置本体１０の検査処理が行われる（Ｓ８）。
【００４３】
以上のように、本発明によれば、コネクタを逆向きに挿入した場合でも、自動的に接続方向を認識して、情報装置接続用コネクタ４４の各ピンとこれらのピンに接続される情報装置本体１０の入出力端子との対応関係が切り替わるので、作業者はコネクタの差し込み方向を意識しなくとも良くなる。
【００４４】
コネクタは、いずれの方向でも接続可能に構成してあるので、差し込み時にコネクタを破損する恐れが無くなる。
【００４５】
さらに、コネクタの接続方向の認識を、複数のピンからの信号に基づいて行っているので、接続方向の認識のみならず、勘合不良などの異常検出も行うことができる。
【図面の簡単な説明】
【図１】本発明の被検査装置となる情報装置本体の機能説明に供する図である。
【図２】情報装置本体を検査装置で検査する場合の接続状態を示す図である。
【図３】情報装置接続用コネクタと携帯電話接続用コネクタとの接続状態を示す図である。
【図４】情報装置接続用コネクタと携帯電話接続用コネクタが備えるそれぞれのピンと信号の種類との対応関係を示した図である。
【図５】情報装置接続用コネクタと携帯電話接続用コネクタが正規の接続方向で接続された場合のピン番号の対応関係を示す図である。
【図６】情報装置接続用コネクタと携帯電話接続用コネクタが反対の接続方向で接続された場合のピン番号の対応関係を示す図である。
【図７】本発明にかかるコネクタの通信制御装置の制御系の概略ブロック図である。
【図８】本発明にかかるコネクタの通信制御装置の動作を示すフローチャートである。
【図９】図８のフローチャートの動作説明に供する図である。
【図１０】図８のフローチャートの動作説明に供する図である。
【符号の説明】
１０…情報装置本体、
１２…マイク、
１４…スピーカー、
１６…端末装置、
１８…車両電話用ハーネス、
１９…携帯電話接続用コネクタ、
２０…携帯電話、
２５…基地局、
３２、３３…電話機、
３５…ウェブサーバー、
４０…検査装置、
４２…検査用ハーネス、
４３…検査装置接続用コネクタ、
４４…情報機器接続用コネクタ、
４４Ａ〜４４Ｄ…ピン、
５０…コネクタ向き判別回路、
５１、５２、５３…信号線、
５４、５５、５６…プルアップ抵抗器、
５７…リレーコイル、
６０、７０…切替回路、
６５Ａ〜６５Ｃ…接点、
６６Ａ〜６６Ｃ…接点、
６７、６８…接点、
８０…入出力端子。
【図１】
2004088603.tif 000003
【図２】
2004088603.tif 000004
【図３】
2004088603.tif 000005
【図４】
2004088603.tif 000006
【図５】
2004088603.tif 000007
【図６】
2004088603.tif 000008
【図７】
2004088603.tif 000009
【図８】
2004088603.tif 000010
【図９】
2004088603.tif 000011
【図１０】
2004088603.tif 000012